(57)【要約】【課題】面格子の取り付けのための施工が簡単且つ容易でありながら、取り外しが容易ではなく、それによって防犯性を高めた室内面格子の取付け機構を提供する。【解決手段】複数の格子材１１の両端を一対の格子側枠１２に固定した面格子４と、該一対の格子側枠が取付けられる一対のベース側枠６とを備える。上記格子側枠は、ベース側枠を被包してその長手方向に摺動自在に嵌合され、少なくとも、ベース側枠に対して格子側枠を最終的に固定する第１位置と、該格子側枠に設けた取付け操作用穴２０がベース側枠の上記取付け穴１８を臨む第２位置との間において摺動可能に形成され、格子側枠に設けた取付け操作用穴が、ベース側枠の上記取付け穴１８を通して該ベース側枠を建物開口部枠３に固定する操作を可能にしている。【選択図】図６
2008031661.tif 000002
【特許請求の範囲】
【請求項１】
障子よりも室内側の建物開口部枠に取付ける面格子の取付け機構であって、
複数の格子材の両端を一対の格子側枠に固定した面格子と、建物開口部枠に取り付けられ、且つ該一対の格子側枠が取付部片を介して取付けられる一対のベース側枠とを備え、
上記ベース側枠は、それを建物開口部枠に取り付けるための取付け穴を有し、
上記格子側枠は、上記ベース側枠を被包して該ベース側枠にその長手方向に摺動自在に嵌合され、少なくとも、上記ベース側枠に対して、格子側枠を最終的に固定する第１位置と、該格子側枠に設けた取付け操作用穴がベース側枠の上記取付け穴を臨む第２位置との間において摺動可能に形成され、
上記格子側枠に設けた取付け操作用穴が、ベース側枠の上記取付け穴を通して該ベース側枠を建物開口部枠に固定する操作を可能にしたものである、
ことを特徴とする室内面格子の取付け機構。
【請求項２】
上記ベース側枠と格子側枠の間に、該格子側枠を上記第２位置に一時的に保持するための保持手段を設けた、
ことを特徴とする請求項１に記載の室内面格子の取付け機構。
【請求項３】
上記取付部片が上記ベース側枠に取付けられて、その長手方向に第１及び第２のネジ穴を備え、上記第１のネジ穴を前記第１位置にある格子側枠のネジ固定に供するものとし、上記第２のネジ穴及びそれに螺挿する取付けネジを、上記格子側枠を第２位置に一時的に保持するための保持手段とした、
ことを特徴とする請求項２に記載の室内面格子の取付け機構。
【請求項４】
上記取付部片が上記ベース側枠の長手方向の両端部に取付けられ、
上記第１位置において格子側枠を上記取付部片に固定する取付けネジにより、上記ベース側枠及び格子側枠の長手方向の両端部を覆うエンドカバーを、上記格子側枠と共にベース側枠に取り付けている、
ことを特徴とする請求項２または３に記載の室内面格子の取付け機構。
【請求項５】
上記格子側枠における取付け操作用穴が、上記ベース側枠をその取付け穴により建物開口部枠へ取付ける取付けネジ及びそれを螺挿する工具が通過可能な範囲で可及的に小さい口径を有している、
ことを特徴とする請求項１〜４のいずれかに記載の室内面格子の取付け機構。
【請求項６】
上記ベース側枠が、上記建物開口部枠に沿って延びる台部と、該台部の両側端部から立設されて長手方向に延びる立設壁とを有し、
上記格子側枠が、上記ベース側枠の台部に対向する格子材固定壁と、該格子材固定壁から上記立設壁の外側に延びる外側壁とを有し、
該格子材固定壁及び外側壁が上記ベース側枠を被包してそれらの長手方向に摺動可能に嵌合するように形成され、
上記格子側枠の外側壁の先端に、上記ベース側枠の立設壁の先端の折曲部に係合するように内方に折曲した折曲部が設けられ、上記両折曲部が接触しない範囲内において、格子側枠とベース側枠との間の間隔を調整可能にしている、
ことを特徴とする請求項１〜５のいずれかに記載の室内面格子の取付け機構。
【請求項７】
面格子における一対の格子側枠に、上記取付部片との係合によりベース側枠に対する格子側枠の移動を制限するストッパを設け、
該ストッパによる格子側枠の移動の範囲を、上記ベース側枠に対して格子側枠を上記第１位置と第２位置との間において摺動可能なものとした、
ことを特徴とする請求項１〜６のいずれかに記載の室内面格子の取付け機構。
【発明の詳細な説明】
【技術分野】
【０００１】
本発明は、サッシ窓の障子よりも室内側に取付けられ、サッシ窓が破壊されても盗犯者が家屋内へ容易に侵入できないようにするための室内面格子の取付け機構に関するものである。
【背景技術】
【０００２】
ルーバー窓等の室内側に取付けられ、該ルーバー窓等が破壊されても盗犯者の家屋内への侵入を阻止することができる室内面格子は、特許文献１または２に示されているように公知である。
該特許文献１の室内面格子は、内格子を装入する透孔を複数個穿設した内格子取付板にその全長に亘って大凹溝を刻設し、該大凹溝内において多数の大皿ねじにより上記内格子取付板を取付枠に固定し、該多数の大皿ねじを覆い隠す蓋体を、更に多数の小皿ねじで固定している。
この面格子は、盗犯者がルーバー窓を破壊した後に、蓋板に螺挿されている多数の小皿ねじを取外して蓋板を取去った後、更に多数の大皿ねじを取外して、初めて内格子を取外すことができるので、盗犯者の家屋内への侵入に手間暇がかかり、盗犯者の侵入意欲を喪失させるという効果は有するが、内格子取付板の固定及び蓋板の固定に多数の大皿ねじ及び多数の小皿ねじを用いているため、室内面格子の設置に手間暇がかかるという問題がある。
【０００３】
また、特許文献２に示されているものは、サッシ窓の障子よりも室内側の建物開口部に取付ける面格子であって、格子材の取付部片を断面コ字形に形成されたベース材とカバー材とで構成し、該ベース材の背面を建物開口部枠に当てて凹溝側からねじなどの固着具により該ベース材を固定し、カバー材はその凹溝内に前記ベース材を嵌合してそのベース材を隠蔽した状態で、そのカバー材の屋内側から前記ベース材にねじ込まれる防犯ねじにより固定している。
しかしながら、上記ベース材及びそれを固定している木ねじを隠蔽するカバー材は、該カバー材の屋内側から上記ベース材に防犯ねじにより固定しているとしても、その固定位置が盗犯者により容易に発見できる位置にあり、それを外せば、ベース材を固定している溝底部に木ねじを容易に発見できるので、その木ねじを外して簡単に侵入できる可能性がある。
【０００４】
【特許文献１】特開２００４−３６０３４５号公報
【特許文献１】特開２００６−３７４４９号公報
【発明の開示】
【発明が解決しようとする課題】
【０００５】
本発明は、かかる従来の問題に鑑みてなされたものであり、その技術的課題は、面格子の取り付けのための施工が簡単且つ容易でありながら、取り外しが容易ではなく、それによって防犯性を高めた室内面格子の取付け機構を提供することにある。
本発明の他の技術的課題は、複数の格子材の両端を一対の格子側枠に固定してなる面格子を建物開口部枠に取り付けるに際し、その取付け部を隠すことができ、しかも、上記面格子と建物開口部枠に固定するベース側枠との間の幅方向の調節も容易に行うことができる室内面格子の取付け機構を提供することにある。
【課題を解決するための手段】
【０００６】
上記課題を解決するための本発明に係る室内面格子の取付け機構は、障子よりも室内側
の建物開口部枠に取付ける面格子の取付け機構であって、複数の格子材の両端を一対の格子側枠に固定した面格子と、建物開口部枠に取り付けられ、且つ該一対の格子側枠が取付部片を介して取付けられる一対のベース側枠とを備え、上記ベース側枠は、それを建物開口部枠に取り付けるための取付け穴を有し、上記格子側枠は、上記ベース側枠を被包して該ベース側枠にその長手方向に摺動自在に嵌合され、少なくとも、上記ベース側枠に対して、格子側枠を最終的に固定する第１位置と、該格子側枠に設けた取付け操作用穴がベース側枠の上記取付け穴を臨む第２位置との間において摺動可能に形成され、上記格子側枠に設けた取付け操作用穴が、ベース側枠の上記取付け穴を通して該ベース側枠を建物開口部枠に固定する操作を可能にしたものであることを特徴としている。
【０００７】
本発明に係る室内面格子の取付け機構の好ましい実施形態においては、上記ベース側枠と格子側枠の間に、該格子側枠を上記第２位置に一時的に保持するための保持手段が設けられる。この場合に、望ましくは、上記取付部片が上記ベース側枠に取付けられて、その長手方向に第１及び第２のネジ穴を備え、上記第１のネジ穴を前記第１位置にある格子側枠のネジ固定に供するものとし、上記第２のネジ穴及びそれに螺挿する取付けネジを、上記格子側枠を第２位置に一時的に保持するための保持手段として構成される。
本発明に係る室内面格子の取付け機構の他の好ましい実施形態においては、上記取付部片が上記ベース側枠の長手方向の両端部に取付けられ、上記第１位置において格子側枠を上記取付部片に固定する取付けネジにより、上記ベース側枠及び格子側枠の長手方向の両端部を覆うエンドカバーが、上記格子側枠と共にベース側枠に取り付けられる。
【０００８】
本発明に係る室内面格子の取付け機構の他の好ましい実施形態においては、上記格子側枠における取付け操作用穴が、上記ベース側枠をその取付け穴により建物開口部枠へ取付ける取付けネジ及びそれを螺挿する工具が通過可能な範囲で可及的に小さい口径を有するものとして構成される。
また、本発明に係る室内面格子の取付け機構の他の好ましい実施形態においては、上記ベース側枠が、上記建物開口部枠に沿って延びる台部と、該台部の両側端部から立設されて長手方向に延びる立設壁とを有し、上記格子側枠が、上記ベース側枠の台部に対向する格子材固定壁と、該格子材固定壁から上記立設壁の外側に延びる外側壁とを有し、該格子材固定壁及び外側壁が上記ベース側枠を被包してそれらの長手方向に摺動可能に嵌合するように形成され、上記格子側枠の外側壁の先端に、上記ベース側枠の立設壁の先端の折曲部に係合するように内方に折曲した折曲部が設けられ、上記両折曲部が接触しない範囲内において、格子側枠とベース側枠との間の間隔が調整可能に形成される。
【０００９】
本発明に係る室内面格子の取付け機構の更に他の好ましい実施形態においては、面格子における一対の格子側枠に、上記取付部片との係合によりベース側枠に対する格子側枠の移動を制限するストッパを設け、該ストッパによる格子側枠の移動の範囲が、上記ベース側枠に対して格子側枠を上記第１位置と第２位置との間において摺動可能なものとして構成される。
【００１０】
上記構成を有する室内面格子の取付け機構は、面格子の取り付けのための施工が簡単且つ容易でありながら、容易に取り外すことができないようにし、それによって防犯性を高めるようにしたもので、上記面格子の取り付けに際しては、該面格子の格子側枠を、それに設けた取付け操作用穴がベース側枠の取付け穴を臨む前記第２位置に保持した状態で、該取付け操作用穴を通して、上記ベース側枠をその取付け穴において建物開口部枠にネジ固定し、しかる後に、上記格子側枠をベース側枠に対して最終的に固定する前記第１位置に移動させたうえで該ベース側枠に固定し、それによって、面格子の取付けが簡単でありながら、最終的取り付け位置において上記ベース側枠の取付け部分を隠すことができるものである。
【００１１】
上記格子側枠における取付け操作用穴は、最終的に外部に露出した状態にはなるが、該穴からドライバ等の工具を挿入しても、上記ベース側枠の取付け穴における取付けネジ等を取外すことができず、該取付けネジを探すことも容易でないから、防犯性を高めることができる。
しかも、上記面格子の一対の格子側枠は、取付部片を介して上記一対のベース側枠にそれらの間隔を調節自在にネジ固定されるため、取付けの際に上記面格子と建物開口部枠との間の幅方向の調節を簡単に行うことができ、施工が容易である。
【発明の効果】
【００１２】
上述した本発明の室内面格子の取付け機構によれば、面格子の取り付けのための施工が簡単且つ容易でありながら、取り外しが容易ではなく、それによって防犯性を高めることができ、また、複数の格子材の両端を一対の格子側枠に固定した面格子を建物開口部枠に取り付けるに際し、その取付け部を隠すことができ、しかも、上記面格子と建物開口部枠に固定するベース側枠との間の幅方向の調節も容易に行うことができる。
【発明を実施するための最良の形態】
【００１３】
以下に、本発明に係る室内面格子の取付け機構の実施の形態を、図面に示す実施例に基づいて詳細に説明する。
図１〜図５は、本発明に係る室内面格子の取付け機構の一実施例の構成を示している。この取付け機構は、図３及び図４に示すように、サッシ窓枠１に取り付けた障子２よりも室内側の建物開口部枠３に面格子４を取り付けるための機構であって、複数の格子材１１を並設してその両端を一対の格子側枠１２に固定した面格子４と、上記建物開口部枠３の左右の内側面に沿って取り付けられ、上記一対の格子側枠１２が取付けられる一対のベース側枠６と、該ベース側枠６に上記格子側枠１２を取付けるための取付部片８と、上記ベース側枠６及び格子側枠１２の長手方向の両端部を覆うエンドカバー９とを、主たる構成要素として備えている。
【００１４】
更に詳述すると、上記サッシ窓枠１は汎用のものであり、該サッシ窓枠１に取り付けた上記障子２は、例えば、縦辷り出し障子、横辷り出し障子、あるいはルーバーのような、開放時にサッシ窓面に平行または該窓面から屋外方向に開けられるタイプの障子であり、既知の手段によりサッシ窓枠１に取付けられている。
【００１５】
上記面格子４を構成する格子材１１は、図１〜図３に示すような中空筒状の金属材で、その内周壁の対向する位置に全長にわたって延びる断面が一部切欠リング状の一対のネジ取付部１１ａを有し、その格子材１１の複数を並置してそれらの各両端を固定する一対の格子側枠１２には、上記格子材１１のネジ取付部１１ａに対応する位置に、それぞれ取付け穴１３を設け、該取付け穴１３の外面側に当接する座板１４及び該取付け穴１３を通して、上記ネジ取付部１１ａに取付けネジ１５を螺入することにより、該複数の格子材１１の両端が一定間隔で一対の格子側枠１２間に固定され、上記面格子４が構成されている。上記座板１４は、その一部を折曲して後述するストッパ１４ａを形成したものである。
【００１６】
一方、上記建物開口部枠３に固定するベース側枠６は金属型材からなり、図１、図４及び図５に示すように、上記建物開口部枠３の縦枠内側面に固定するための、該建物開口部枠３に沿って延びる台部６ａと、該台部６ａの両側端部から垂直に立設された一対の立設壁６ｂと、該立設壁６ｂの内側において台部６ａから垂直に立設された一対の立設壁６ｃとを有し、これらの立設壁６ｂ，６ｃは、上記台部６ａの長手方向に沿って延設されている。そして、上記一対の立設壁６ｂの各先端には外側に折曲した折曲部６ｄが付設されている。
【００１７】
更に、上記ベース側枠６の台部６ａには、それを上記建物開口部枠３に取付けるための取付け穴１８を設け、該取付け穴１８を通して上記建物開口部枠３に取付けネジ１９を螺入することにより、該ベース側枠６を建物開口部枠３に取付けるようにしている。取付けネジ１９としては、普通のネジを用いてもよいが、防犯用特殊ネジ（例えば、ドライバによりネジを締め付ける方向には回転可能であるが、緩める方向には回転不能なネジ、あるいは、特殊なドライバでなければ締め付けたり緩めることができないネジ）を用いてもよい。
【００１８】
該ベース側枠６に取り付ける面格子４の格子側枠１２は、図５に明瞭に示すように、上記ベース側枠６の台部６ａに対向し、上記格子材１１が取付けネジ１５で固定される格子材固定壁１２ａと、該固定壁１２ａの両側端からベース側枠６側に向けて上記一対の立設壁６ｂの各外側において該立設壁６ｂと平行に延びる一対の外側壁１２ｂと、同様に上記固定壁１２ａから上記一対の立設壁６ｃの外側に沿って延びる一対の内側壁１２ｃとを有し、該格子材固定壁１２ａ及び外側壁１２ｂが上記ベース側枠６を被包するように形成され、一対の内側壁１２ｃがベース側枠における一対の立設壁６ｃの外側にほぼ接する位置に配設され、それらによって、上記外側壁１２ｂ及び内側壁１２ｃを有する格子側枠１２を、立設壁６ｂ，６ｃを有するベース側枠６に対してその長手方向に摺動自在に嵌合させている。
【００１９】
更に、上記格子側枠１２の外側壁１２ｂの先端には、上記ベース側枠６の立設壁６ｂの先端の折曲部６ｄに係合するように内方に折曲した折曲部１２ｄが設けられ、上記折曲部１２ｄが折曲部６ｄに接触しない範囲内において、格子側枠１２とベース側枠６との間の間隔を調整可能にしている。この間隔の調整により、面格子４を建物開口部枠３に取り付けるに際してその幅を調整することができる。
なお、この折曲部６ｄと折曲部１２ｄとの係合により、格子側枠１２はベース側枠６からの離間は制限される。
【００２０】
上記格子側枠１２はベース側枠６に対して上述した結合関係で連結しているため、例えば、予め建物開口部枠３にベース側枠６を固定しておくと、その上下に空間がないため、格子側枠１２をベース側枠６の上方または下方から挿入できず、ベース側枠６に格子側枠１２を組み付けることができなくなる。そのため、建物開口部枠３の内側面に面格子４を装着する場合には、予めベース側枠６と格子側枠１２とを相互に嵌合させたうえで装着する必要がある。しかしながら、その状態では、ベース側枠６が格子側枠１２で被包されているため、ベース側枠６だけを建物開口部枠３に固定することができず、それをできるようにした場合には、盗犯者が容易に該ベース側枠６を建物開口部枠３から離脱できることになるので、防犯性の点で問題になる。
そこで、この取付け機構では、以下に説明するように、面格子４を建物開口部枠３に取り付けるに際し、その取付け部分、特にベース側枠６の取付けネジ１９による取付け部分を隠すことができるようにしている。
【００２１】
まず、上述したように、格子側枠１２はベース側枠６を被包して該ベース側枠６に対してその長手方向には摺動自在に嵌合する形態を有しているが、その摺動範囲は、以下に説明する面格子４の取付工程からすれば、少なくとも、上記ベース側枠６に対して、格子側枠１２を最終的に固定する第１位置（図１）と、該格子側枠１２に設けた取付け操作用穴２０がベース側枠６の前記取付け穴１８を臨む第２位置（図６）との間において摺動可能に形成される。
【００２２】
上記図１は、面格子４における格子側枠１２をベース側枠６に対する最終的な取付位置において該ベース側枠６に固定した状態を示し、それに対して、図６は、該格子側枠１２を図１の状態からベース側枠６の長手方向に若干ずらせた位置において、具体的には、該格子側枠１２に設けた取付け操作用穴２０がベース側枠６の取付け穴１８を臨む第２位置にある状態を示している。この状態では、該取付け操作用穴２０を通してドライバ等の工具を挿入し、ベース側枠６をそれに設けた取付け穴１８を通して螺入する取付けネジ１９により、建物開口部枠３に固定することができる。
【００２３】
上記面格子４の取り付けは、図６の状態でベース側枠６を建物開口部枠３に固定したうえで、格子側枠１２を図１の位置まで摺動させ、その位置で該格子側枠１２がベース側枠６に固定される。
なお、上記取付け操作用穴２０は、上記格子側枠１２を上記ベース側枠６に最終的に取り付けた後で、栓２０ａで塞がれる。
そして、上記図１に示す最終的取付け位置に面格子４の格子側枠１２を固定し、あるいは、図６に示すベース側枠６の固定作業位置に格子側枠１２を仮固定するため、前記取付部片８をベース側枠６に取り付けている。
【００２４】
この取付部片８は、ベース側枠６の両端部にネジ固定され、その長手方向に間隔を置いて形成した二つの突出部８ａ，８ｂを備え、それらに第１及び第２のネジ穴２１，２２が中心間隔ｄで設けられている。この間隔ｄは、格子側枠１２を仮固定した図６の取付位置からベース側枠６に対してずらす距離に相当するものであり、具体的には、図１における取付けネジ１９の取付け穴１８の中心軸線と取付け操作用穴２０の中心軸線との間の間隔Ｄと同じに設定される。
【００２５】
上記取付部片８におけるベース側枠６の端部側に位置する第１のネジ穴２１は、格子側枠１２の最終的取付け位置、つまり、図１に示す上記第１位置にある格子側枠１２をベース側枠６に対して取付けネジ２３で固定するのに供するものであり、他方のネジ穴２２及びそれに螺挿する取付けネジ２３は、格子側枠１２を図６に示す上記第２位置（仮固定位置）に一時的に保持するための保持手段を形成するものである。上記格子側枠１２の両端部には、それを取付部片８に取り付けるための取付け穴２５が設けられ、それを通して格子側枠１２を取付部片８に螺挿する取付けネジ２３は、両ネジ穴２１，２２への螺挿に共用される。そして、上記取付部片８は、上記ネジ穴２１または２２に螺合される上記取付けネジ２３の螺挿深さを調節することにより、上記ベース側枠６と格子側枠１２の間隔が調節される。
なお、この格子側枠１２の第２位置への保持手段は、上記取付部片８に設けたネジ穴２２を利用するものに限らず、それに代えて他の任意手段を利用することができる。
【００２６】
上記面格子４を構成する格子材１１と格子側枠１２とを取付けネジ１５で連結する際に該格子側枠１２の外面側に当接する座板１４には、前述したストッパ１４ａを設けているが、このストッパ１４ａは、図１及び図６からわかるように、ベース側枠６に対して格子側枠１２が摺動したとき、上記取付部片８における内側の突出部８ｂに当接するような位置関係で配設している。
従って、ベース側枠６に格子側枠１２を嵌合した状態で上記取付部片８をベース側枠６の両端部に取り付けると、格子側枠１２の移動は上記ストッパ１４ａが取付部片８に当接する範囲内に制限される。
【００２７】
なお、図示した実施例の場合、格子側枠１２の上下にあるストッパ１４ａがそれぞれベース側枠６の端部の取付部片８に当接する位置が、それぞれ前記第１位置及び第２位置になるように設定しているが、格子側枠１２が少なくとも上記第１位置と第２位置との間で移動可能であればよく、必ずしもそのように設定する必要はない。
また、上記ストッパ１４ａを有する座板１４は、面格子４の上下端の格子材１１の取付部分のみに用いればよいが、各格子材１１の取付部分において用いても差し支えない。
【００２８】
上述したように、格子側枠１２は、上記第１位置においてベース側枠６の長手方向の両端部に取付けられた取付部片８に取付けネジ２３によって固定するが、該取付けネジ２３によって、上記ベース側枠６及び格子側枠１２の長手方向の両端部を覆うエンドカバー９を、該格子側枠１２と共にベース側枠６に取り付けるようにしている。
該エンドカバー９は、内部に上記ベース側枠６及び格子側枠１２の長手方向の端部が収容される空間９ａが設けられ、あたかも、それらの端部を保護するような形態に形成されるが、それは格子側枠１２のベース側枠６に対する固定部分をカモフラージュする意味もある。
【００２９】
次に、図６〜図１０を参照して、上記面格子４を建物開口部枠３に取り付ける取付け手順について説明する。
まず、面格子４は、図６に示すように、複数の格子材１１の両端を上記取付けネジ１５で一対の格子側枠１２に固定することにより予め組み立てられる。そして、一対のベース側枠６と面格子４の格子側枠１２とを嵌合させた状態で、ベース側枠６の長手方向の両端に上記取付部片８がボルト及びナット等により取付けられる。
この状態では、ベース側枠６に対して格子側枠１２が摺動するが、格子材１１と格子側枠１２とを連結する際に用いる座板１４のストッパ１４ａが取付部片８における内側の突出部８ｂに当接するので、ベース側枠６に対する格子側枠１２の移動はその当接により制限される。
【００３０】
次に、上記面格子４を取り付けたベース側枠６を建物開口部枠３内の所定の位置に配置し、ベース側枠６に対して面格子４の格子側枠１２を図６及び図７に示す第２位置に保持し、上記一対の格子側枠１２の取付け穴２５を通して上記ベース側枠６の下端に取付けた取付部片８のネジ穴２２に取付けネジ２３を螺入し、一対の格子側枠１２を一対のベース側枠６に対して第２位置に仮固定する。
この実施例では、上記第２位置を、一対のベース側枠６に対して格子側枠１２を上方に移動させて、ベース側枠６の下端の取付部片８のネジ穴２２に上記取付けネジ２３を螺入する位置としているため、上方の取付部片８における下方のネジ穴２２がダミーとなっているが、ストッパ１４ａの位置の設定を変えて、上記第２位置を、一対のベース側枠６に対して格子側枠１２を下方に移動させて、ベース側枠６の上端に取り付けた取付部片８のネジ穴２２を取付けネジ２３による仮固定に供することもでき、この場合には、下方の取付部片８における上方のネジ穴２２がダミーとなる。
【００３１】
上記一対のベース側枠６に一対の格子側枠１２を仮固定した状態では、図６に示すように、ベース側枠６の取付け穴１８と格子側枠１２の取付け操作用穴２０の中心が一致するので、該取付け操作用穴２０を利用し、取付けネジ１９を上記取付け穴１８を通して建物開口部枠３に螺入することができ、それにより、上記一対のベース側枠６を建物開口部枠３に取付けることができる。
【００３２】
このベース側枠６の取付けが終了した後、下方の取付部片８における上記ネジ穴２２に螺挿した取付けネジ２３を取り外し、ベース側枠６に対する面格子４の仮固定状態を解除し、面格子４を図１及び図８に示す第１位置まで移動させる。これにより、格子側枠１２の上下の取付け穴２５の中心が、上記取付部片８のネジ穴２１の中心に一致する。この位置は、ベース側枠６に格子側枠１２を最終的に取り付ける位置であり、上記ベース側枠６と格子側枠１２の長手方向の両端位置が一致する。そこで、図９、図１０に示すように、上記ベース側枠６及び格子側枠１２の長手方向の両端部に上記エンドカバー９を被せ、取付けネジ２３を上記エンドカバー９の穴及び上記格子側枠１２の取付け穴２５を通して取付部片８のネジ穴２１に螺入することにより、エンドカバー９を格子側枠１２の両端部に取付け、図１及び図１０に示すように面格子４の取り付けを完了する。
【００３３】
上記構成を有する室内面格子の取付け機構は、上述したように、複数の格子材１１の両端を一対の格子側枠１２に固定した面格子４を、上記ベース側枠６を介して建物開口部枠３に簡単且つ容易に取付けることができるが、外部からは容易に取り外すことができず、それによって防犯性が高められている。
すなわち、上記面格子４の取り付けに際しては、該面格子４の格子側枠１２を、それに設けた取付け操作用穴２０がベース側枠６の取付け穴１８を臨む前記第２位置に保持した状態で、該取付け操作用穴２０を通して、ベース側枠６をその取付け穴１８において建物開口部枠３にネジ固定し、しかる後に、上記格子側枠１２をベース側枠６に対して最終的に固定する前記第１位置に移動させたうえで該ベース側枠６に固定するようにしているので、面格子４の取付けが簡単でありながら、最終的取り付け位置において上記ベース側枠６の取付け部分を隠すことができるものである。
【００３４】
上記格子側枠１２における取付け操作用穴２０は、最終的に外部に露出した状態にはなるが、該穴からドライバ等の工具を挿入しても、上記ベース側枠６の取付け穴１８における取付けネジ１９等を取外すことができず、該取付けネジ１９を探すことも容易でないから、防犯性を高めることができる。
しかも、上記面格子４の一対の格子側枠１２は、取付部片８を介して上記一対のベース側枠６にそれらの間隔を調節自在にネジ固定されるため、取付けの際に上記面格子４と建物開口部枠３との幅方向の調節を簡単に行うことができ、施工も容易である。
【図面の簡単な説明】
【００３５】
【図１】本発明に係る室内面格子の取付け機構の一実施例を示す一部破断正面図である。
【図２】同縦断面図である。
【図３】同サッシ窓に取付けた状態を示す縦断面図である。
【図４】同横断面図である。
【図５】図４の一部拡大断面図である。
【図６】同取付手順を示す一部破断正面図である。
【図７】同取付手順の第１段階を示す斜視図である。
【図８】同第２段階を示す斜視図である。
【図９】同第３段階を示す斜視図である。
【図１０】同第４段階（取付完了状態）を示す斜視図である。
【符号の説明】
【００３６】
２    障子
３    建物開口部枠
４    面格子
６    ベース側枠
６ａ  台部
６ｂ，６ｃ  立設壁
６ｄ  折曲部
８    取付部片
９    エンドカバー
１１    格子材
１２    格子側枠
１２ａ  格子材固定壁
１２ｂ  外側壁
１２ｄ  折曲部
１４ａ  ストッパ
１８    取付け穴
１９    取付けネジ
２０    取付け操作用穴
２１    第１のネジ穴
２２    第２のネジ穴
２３    取付けネジ
【図１】
2008031661.tif 000003
【図２】
2008031661.tif 000004
【図３】
2008031661.tif 000005
【図４】
2008031661.tif 000006
【図５】
2008031661.tif 000007
【図６】
2008031661.tif 000008
【図７】
2008031661.tif 000009
【図８】
2008031661.tif 000010
【図９】
2008031661.tif 000011
【図１０】
2008031661.tif 000012